(57)【特許請求の範囲】
【請求項１】
原稿載置台に載置された原稿を所定の送出方向に送り出す自動原稿送り装置において、
前記送出方向に垂直な幅方向にスライド自在に構成され、原稿の幅に応じた位置にスライド操作されて原稿の幅方向の位置を規制する原稿ガイド、
前記原稿ガイドの幅方向の複数箇所に配備されたセンサ群と、前記原稿ガイドに取り付けられ該原稿ガイドの移動に伴って移動する被センサ部材とを有し、前記幅方向における前記被センサ部材の移動位置に応じた信号を各センサが出力するセンサ部、
インチ系の原稿サイズ系列とＡＢ系の原稿サイズ系列とのうちのいずれか一方の原稿サイズ系列を操作に応じて選択するサイズ系列選択部、および
前記幅方向における前記被センサ部材の移動位置に応じた前記センサ群からの出力信号を受信し、受信した出力信号の組み合わせに基づいて前記原稿ガイドに幅方向の位置が規制された原稿のサイズを認識するサイズ認識部であって、受信した出力信号の組み合わせが、該幅方向のサイズが１０インチの原稿を表すものであっても、前記サイズ系列選択部おいてＡＢ系の原稿サイズ系列が選択されている場合には、短辺が該原稿ガイドに挟まれたＢ４サイズの原稿であると認識し、受信した出力信号の組み合わせが、該幅方向のサイズが８．５インチの原稿を表すものであっても、前記サイズ系列選択部おいてＡＢ系の原稿サイズ系列が選択されている場合には、短辺が該原稿ガイドに挟まれたＡ４サイズの原稿であると認識するサイズ認識部を備えたことを特徴とする自動原稿送り装置。
【請求項２】
操作パネルを備え、前記サイズ系列選択部は、該操作パネルの操作に応じて、インチ系の原稿サイズ系列とＡＢ系の原稿サイズ系列とのうちのいずれか一方の原稿サイズ系列を選択するものであることを特徴とする請求項１記載の自動原稿送り装置。
【請求項３】
原稿を自動に送り出す原稿送りモードと、該自動原稿送り装置のメンテナンスを行うメンテナンスモードとを有し、前記サイズ系列選択部は、該メンテナンスモードで作用するものであることを特徴とする請求項１記載の自動原稿送り装置。
【発明の詳細な説明】
【技術分野】
【０００１】
本発明は、原稿載置台に載置された原稿を所定の送出方向に送り出す自動原稿送り装置に関する。
【背景技術】
【０００２】
従来より、複写機には、複写する原稿が載置される原稿載置台を有する自動原稿送り装置を備えているものがある。
【０００３】
自動原稿送り装置は、原稿載置台に載置された原稿を複写機本体側の原稿読取部に向けて送り出し、原稿読取部における読取りが終了した原稿を原稿載置台の下部等に設けられた原稿排出位置に排出する。
【０００４】
この自動原稿送り装置の中には、原稿載置台に載置された原稿の送出方向に垂直な幅方向にスライド自在に構成されると共に、原稿の幅に応じた位置にスライド操作されて原稿の幅方向の位置を規制するガイドを備え、そのガイドを原稿サイズの検出に利用しているものがある。
【０００５】
ところで、原稿のサイズ系列には、インチサイズ系と呼ばれる系列や、ＡＢサイズ系と呼ばれる系列があり、これら２つのサイズ系列双方に対応した自動原稿送り装置が提案されている（特許文献１参照）。
【０００６】
しかし、上記提案の自動原稿送り装置では、例えば、オペレータがＡ４サイズの短辺幅（２１０ｍｍ）で原稿を送出するように原稿載置台に載置したつもりでも、このガイドによる原稿の挟み込みが甘いと、原稿読取部側が原稿サイズを８．５インチの短辺幅（２１６ｍｍ）と誤認してしまうおそれがある。
【０００７】
そこで、自動原稿送り装置を、例えばインチ系原稿専用、あるいはＡＢ系原稿専用とすることで原稿サイズの誤認を防止する提案がなされている。
【特許文献１】実開平１−１６４０４３７号公報
【発明の開示】
【発明が解決しようとする課題】
【０００８】
しかしながら、サイズ系列を限定してしまう上記提案では、サイズ系列の変更に対応できないという問題がある。
【０００９】
本発明は、上記事情に鑑み、複数のサイズ系列に対応しながら、原稿サイズの誤認を防止する工夫が図られた自動原稿送り装置を提供することを目的とする。
【課題を解決するための手段】
【００１０】
上記目的を達成するための本発明の自動原稿送り装置は、
原稿載置台に載置された原稿を所定の送出方向に送り出す自動原稿送り装置において、
上記送出方向に垂直な幅方向にスライド自在に構成され、原稿の幅に応じた位置にスライド操作されて原稿の幅方向の位置を規制する原稿ガイドと、
上記原稿ガイドの幅方向のスライド位置を検出するセンサと、
複数種類の原稿サイズ系列のうちのいずれか１種類の原稿サイズ系列を操作に応じて選択するサイズ系列選択部と、
上記センサによるスライド位置の検出結果に基づいて、上記サイズ系列選択部で選択されている原稿サイズ系列中のいずれかの原稿サイズを認識するサイズ認識部とを備えたことを特徴とする。
【００１１】
本発明の自動原稿送り装置では、原稿ガイドのスライド位置が多少ずれていても、センサによる検出結果に基づいて、選択されたサイズ系列の中で最も近い原稿サイズをその原稿のサイズであると認識できるようになっている。したがって、本発明の自動原稿送り装置によれば、複数のサイズ系列に対応しながら、原稿サイズの誤認を防止することができる。
【００１２】
ここで、上記サイズ系列選択部は、操作に応じて、インチ系の原稿サイズ系列とＡＢ系の原稿サイズ系列とのうちのいずれか一方の原稿サイズ系列を選択するものであってもよく、また、操作パネルを備え、上記サイズ系列選択部は、この操作パネルの操作に応じて、複数種類の原稿サイズ系列のうちのいずれか１種類の原稿サイズ系列を選択するものであってもよい。さらには、原稿を自動に送り出す原稿送りモードと、この自動原稿送り装置のメンテナンスを行うメンテナンスモードとを有し、上記サイズ系列選択部は、このメンテナンスモードで作用するものであってもよい。
【発明の効果】
【００１３】
本発明の自動原稿送り装置によれば、複数のサイズ系に対応しながら、原稿サイズの誤認を防止することができる。
【発明を実施するための最良の形態】
【００１４】
以下、本発明の実施形態について説明する。
【００１５】
図１は、本発明の自動原稿送り装置の一実施形態を含む複写機の外観斜視図である。
【００１６】
図１に示す複写機１は、本実施形態である自動原稿送り装置２と、液晶操作パネル３１、テンキー３２、および用紙カセット３３などが備えられた本体３とで構成されている。
【００１７】
この複写機１では、自動原稿送り装置２によって本体３の上部に備えられた原稿読取部に原稿が送り出され、読取りが終了した原稿は自動原稿送り装置２の所定の回収位置に回収される。原稿読取部で読み取られた原稿の内容は、本体３の下部に備えられた用紙カセット３３から引き出されてきた記録用紙に複写されて本体３の側面に取りつけられたトレー上に排出される。
【００１８】
自動原稿送り装置２は、複写する原稿を載置する原稿載置台２１と、原稿の送出方向に垂直な幅方向にスライド自在に構成され、原稿の幅に応じた位置にスライド操作されて原稿の幅方向の位置を規制する原稿ガイド２２ａと、原稿ガイド２２ａの幅方向のスライド位置を、原稿ガイド２２ａと連結されたアクチュエータを通じて検出するセンサ２３（図２参照）と、液晶操作パネル３１に対する複写スタートの操作を受けて、原稿を本体３に備えられた原稿読取部に向けて送出し、原稿の読取りが終了した原稿を原稿載置台２１の下方に排出させる、筐体２ａの内部に備えられた原稿送出部とで構成されている。
【００１９】
図２は、図１に示す自動原稿送り装置２の概略構成図である。尚、図２では、原稿載置台２１、原稿送出部の図示は省略している。
【００２０】
図２には、センサ２３からの信号を受信すると共に液晶操作パネル３１への操作を検知する、この自動原稿送り装置２の構成要素であるＣＰＵ２４が示されている。
【００２１】
この複写機１では、原稿載置台２１に載置された原稿のサイズを原稿ガイドのスライド位置に基づいて検出しており、この原稿サイズの検出については、ＡＢサイズ系列モード、インチサイズ系列モード、およびこれら双方を検出する混合モードのうち、いずれのモードによるサイズ検出を行うかを選択できるようになっている。
【００２２】
図３は、図１に示す液晶操作パネルの表示画像を示す図である。
【００２３】
図３には、この複写機１に電源を投入した後に、この液晶操作パネル３１に表示されたデフォルト画像が示されている。
【００２４】
また、図３には、パネルの最上段に、‘スタート’、‘キャンセル’、‘セット数’が表示されており、その下方には、‘基本’、‘画質調整’、および‘原稿サイズ系列’からなるページタグも表示されている。
【００２５】
ぺージタグ‘基本’には、‘用紙選択’、‘倍率’、および‘仕様’が表示されており、それぞれデフォルトとして‘自動’、‘１００％’、および‘片面から片面’が選択されている様子が示されている。
【００２６】
ここで、図４は、図３に示す液晶表示パネルにおいて、ページタグ‘原稿サイズ系列’を選択した場合のパネルに表示された画像を示す図である。
【００２７】
図４には、最上段にこのページを‘基本’に戻すための‘閉じる’が示されており、その下方には、‘ＡＢ系列’モード、‘インチ系列’モード、および、ＡＢ系列とインチ系列の双方に対応した‘ＡＢ／インチ混合’モードのうち‘ＡＢ系列’モードが選択されている様子が示されている。
【００２８】
この自動原稿送り装置２では、３つのモードのうち‘ＡＢ系列’モードが液晶操作パネル３１において選択されると、図２に示すＣＰＵ２４は、原稿載置台２１に載置されている原稿のサイズを、原稿センサ２３によるスライド位置の検出結果に基づいて、選択されているモードに応じたサイズ系列のうちのいずれかの原稿サイズとして認識するようになっている。
【００２９】
図５は、原稿ガイドがスライド移動することによる、アクチュエータとセンサとの関係を示す図である。
【００３０】
図５（ａ）には、Ａ４サイズの原稿の短辺に合わせて原稿ガイド２２ａがスライド移動された様子、図５（ｂ）には、短辺が８．５インチの原稿のこの短辺に合わせて原稿ガイド２２ａがスライド移動された様子が示されている。また、図５（ｃ）には、短辺が１０インチの原稿のその短辺に合わせて原稿ガイド２２ａがスライド移動された様子、図５（ｄ）には、Ｂ４サイズの原稿の短辺に合わせて原稿ガイド２２ａがスライド移動された様子が示されている。
【００３１】
図６は、図５に示す原稿ガイドのスライド位置に応じたセンサ出力を示す図である。
【００３２】
図６には、センサ出力が左側に、選択したモードとセンサ出力とに基づいて判定した原稿サイズが右側に示されており、図６の左側には、サイズ差が６ｍｍの、Ａ４ＳＥＦと８．５インチとの間においては、図５における左から３番目（＃３）のセンサにおいて出力が異なっている様子が示されている。
【００３３】
また、図６には、サイズ差が３ｍｍの、１０インチとＢ４ＳＥＦとの間においては、左から２番目（＃２）のセンサにおいて出力が異なっている様子が示されている。
【００３４】
したがって、この複写機１の自動原稿送り装置２では、液晶操作パネル３１においてＡＢ／インチ混合モードが選択されると、これら４種類の原稿サイズを認識できる。
【００３５】
ところが、原稿ガイド２２ａのスライド位置が不正確になると、似通ったサイズ同士の原稿（Ａ４ＳＥＦと８．５インチ、１０インチとＢ４ＳＥＦ）についてはサイズの誤検出がなされるおそれがあることから、この複写機１では、オペレータが、原稿のサイズ系列として、‘ＡＢ系列’と‘インチ系列’のうちのいずれか一方を選択できるようにすることで原稿ガイド２２ａのスライド位置が多少ずれても原稿サイズの誤検出を防止できるようにしている。
【００３６】
つまり、この複写機１の自動原稿送り装置２では、オペレータが‘ＡＢ系列’モードを選択すると、センサ２３が８．５インチを表す‘ｏｆｆ’、‘ｏｎ’、‘ｏｎ’を出力していても、これをＡ４ＳＥＦと判定する。一方、オペレータが‘インチ系列’モードを選択すると、センサ２３がＡ４ＳＥＦを表す‘ｏｆｆ’、‘ｏｎ’、‘ｏｆｆ’を出力していても、これを８．５インチと判定する。
【００３７】
同様に、オペレータが‘ＡＢ系列’モードを選択すると、センサ２３が１０インチを表す‘ｏｎ’、‘ｏｎ’、‘ｏｆｆ’を出力していても、これをＢ４ＳＥＦと判定する。一方、オペレータが‘インチ系列’モードを選択すると、センサ２３がＢ４ＳＥＦを表す‘ｏｎ’、‘ｏｆｆ’、‘ｏｆｆ’を出力していても、これを１０インチと判定する。
【００３８】
これにより、オペレータが複写しようとする原稿のサイズ系列に合わせて‘ＡＢ系’、‘インチ系’のうちのいずれか一方を選択しておくことで、原稿ガイド２２ａのスライド位置の不正確さに起因する原稿サイズの誤検出を防止することができる。
【００３９】
以上説明したように、本実施形態の自動原稿送り装置２では、原稿ガイド２２ａのスライド位置が多少ずれていても、センサ２３による検出結果に基づいて、選択されているサイズ系列の中で最も近い原稿サイズをその原稿のサイズであると認識できるようになっている。したがって、本実施形態の自動原稿送り装置２によれば、複数のサイズ系列に対応しながら、原稿サイズの誤認を防止することができる。
【００４０】
尚、以上に説明した実施形態では、サイズ系列として‘ＡＢサイズ’と‘インチサイズ’を例に挙げて説明したが、本発明は、原稿ガイドのスライド位置の不正確さによって他のサイズ系列の中の原稿サイズとの間でサイズの誤検出が発生するおそれのあるサイズ系列であればこれらのサイズ系列に限るものではない。
【図面の簡単な説明】
【００４１】
【図１】本発明の自動原稿送り装置の一実施形態を一部に含む複写機の外観斜視図である。
【図２】図１に示す自動原稿送り装置の概略構成図である。
【図３】図１に示す液晶操作パネルの表示画像を示す図である。
【図４】図３に示す液晶表示パネルにおいて、ページタグ‘原稿サイズ系列’を選択した場合のパネルに表示された画像を示す図である。
【図５】原稿ガイドがスライド移動することによる、アクチュエータとセンサとの関係を示す図である。
【図６】図５に示す原稿ガイドのスライド位置に応じたセンサ出力を示す図である。
【符号の説明】
【００４２】
１  複写機
２  自動原稿送り装置
２１  原稿載置台
２２ａ  原稿ガイド
２２ｂ  アクチュエータ
２３  センサ
２４  ＣＰＵ
３  本体
３１  液晶操作パネル
【図１】
0004586657.tif 000002
【図２】
0004586657.tif 000003
【図３】
0004586657.tif 000004
【図４】
0004586657.tif 000005
【図５】
0004586657.tif 000006
【図６】
0004586657.tif 000007